(57)【要約】      （修正有）【課題】携帯電話を自動車や自転車等の運転中においてもハンズフリーの状態で通話できるように簡単かつ任意の形でセットすることができる携帯電話の固定装置を提供する。【解決手段】人体に添わせて自在に変形可能なフレキシブルアーム２の一端に、携帯電話１を装着する固定ホルダー３を取り付けた。また、前記フレキシブルアーム２としては、先端側に球形のピン部を有し、後端側に内周面が球形のソケット部を有するエレメント５を、隣接するエレメント５のピン部とソケット部を摺動可能に嵌合し、これを繰り返して複数のエレメント５、５・・・を互いに摺動可能に連結したものとする。【選択図】図１
0003165506.tif 000002
【実用新案登録請求の範囲】
【請求項１】
人体に添わせて自在に変形可能なフレキシブルアームの一端に、携帯電話を装着する固定ホルダーを取り付けたことを特徴とする携帯電話の固定装置。
【請求項２】
フレキシブルアームの他端側に、このフレキシブルアームを取付対象に着脱自在に取り付けるためのクリップ部材が装着してある請求項１に記載の携帯電話の固定装置。
【請求項３】
フレキシブルアームは、先端側に球形のピン部を有し、後端側に内周面が球形のソケット部を有するエレメントを、隣接するエレメントのピン部とソケット部を摺動可能に嵌合し、これを繰り返して複数のエレメントを互いに摺動可能に連結したものである請求項１または２に記載の携帯電話の固定装置。
【請求項４】
エレメントは、ポリプロピレン樹脂、塩化ビニル樹脂、ポリアセタール樹脂、ポリアミド樹脂、ポリカーボネート樹脂のいずれかを射出成形したものである請求項３に記載の携帯電話の固定装置。
【考案の詳細な説明】
【技術分野】
【０００１】
本考案は、携帯電話を自動車や自転車等の運転中においてもハンズフリーの状態で通話できるように簡単かつ任意の形でセットすることができる携帯電話の固定装置に関するものである。
【背景技術】
【０００２】
従来から、自転車等の運転中において片手で携帯電話を持って通話し、ハンドルを片手で操作することは危険であるため、道路交通法によって禁じられている。従って、通話するには車を停止するか、停止できない場合は停止場所を見つけた後に電話する必要があり、面倒であった。
【０００３】
そこで、携帯電話をダッシュボード等にセットすることによりハンズフリーの状態で通話ができるようにした治具等も提案されているが、運転者の耳の位置と距離が離れるため音量が小さくなり、また雑音もあって聞き取りにくいものであった。
一方、最近では特許文献１や特許文献２に示されるように、携帯電話のハンズフリー装置の提案もされているが、携帯電話の固定具だけでなく、他にスピーカやマイク等の部品が必要であり、またそれら部品の取り付け作業も必要になるという問題があった。更に、ハンズフリー装置が常に装着されたままの状態となるため車内が雑然とするという問題もあった。
【０００４】
また、携帯電話の使用は自転車の運転中だけに限らず、オートバイや自転車の運転中、あるいは両手が塞がった状態の歩行者でも通話したい場合があるが、特許文献１や特許文献２のものはいずれも自動車専用であり、オートバイ等には適用することができないものであった。従って、如何なる状況にあっても容易にハンズフリーの状態で通話可能な状態にできる新たな携帯電話の固定装置の開発が要望されていた。
【先行技術文献】
【特許文献】
【０００５】
【特許文献１】特開平１０−３０８８１３号公報
【特許文献２】特開２００１−２６０７６２号公報
【考案の概要】
【考案が解決しようとする課題】
【０００６】
本考案は上記のような問題点を解決して、携帯電話を自動車の運転中においてもハンズフリーの状態で通話できるように簡単かつ任意の形でセットすることができ、また自転車だけでなく、オートバイや自転車の運転中、あるいは両手が塞がった状態の歩行者でもハンズフリーの状態で通話可能な状態とすることができ、更には装置が常に車内に装着されることがなく車内空間をスッキリさせることができる携帯電話の固定装置を提供することを目的として完成されたものである。
【課題を解決するための手段】
【０００７】
上記課題を解決するためになされた本考案の携帯電話の固定装置は、人体に添わせて自在に変形可能なフレキシブルアームの一端に、携帯電話を装着する固定ホルダーを取り付けたことを特徴とするものである。
【０００８】
前記フレキシブルアームの他端側に、このフレキシブルアームを取付対象に着脱自在に取り付けるためのクリップ部材が装着してあるものが好ましく、これを請求項２に係る考案とする。
【０００９】
前記フレキシブルアームは、先端側に球形のピン部を有し、後端側に内周面が球形のソケット部を有するエレメントを、隣接するエレメントのピン部とソケット部を摺動可能に嵌合し、これを繰り返して複数のエレメントを互いに摺動可能に連結したものが好ましく、これを請求項３に係る考案とする。
【００１０】
また、前記エレメントは、ポリプロピレン樹脂、塩化ビニル樹脂、ポリアセタール樹脂、ポリアミド樹脂、ポリカーボネート樹脂のいずれかを射出成形したものが好ましく、これを請求項４に係る考案とする。
【考案の効果】
【００１１】
本考案では、人体に添わせて自在に変形可能なフレキシブルアームの一端に、携帯電話を装着する固定ホルダーを取り付けたので、フレキシブルアームを人体に巻き付ける等することで簡単に携帯電話をセットして通話可能な状態とすることができる。
【００１２】
請求項２に係る考案では、フレキシブルアームの他端側に、このフレキシブルアームを取付対象に着脱自在に取り付けるためのクリップ部材が装着してあるものとすれば、クリップ部材の併用によってフレキシブルアームをより確実に固定でき、携帯電話の固定を更に確実なものとすることができる。
【００１３】
請求項３に係る考案では、フレキシブルアームは、先端側に球形のピン部を有し、後端側に内周面が球形のソケット部を有するエレメントを、隣接するエレメントのピン部とソケット部を摺動可能に嵌合し、これを繰り返して複数のエレメントを互いに摺動可能に連結したものとしたので、フレキシブルアームを人体に添わせるように自在に変形することができる。
【００１４】
請求項４に係る考案では、エレメントは、ポリプロピレン樹脂、塩化ビニル樹脂、ポリアセタール樹脂、ポリアミド樹脂、ポリカーボネート樹脂のいずれかを射出成形したものとしたので、フレキシブルアームを容易かつ安価に生産することができる。
【図面の簡単な説明】
【００１５】
【図１】本考案の実施の形態を示す正面図である。
【図２】本考案の実施の形態を示す斜視図である。
【図３】フレキシブルアームを示す要部の断面図である。
【図４】その他の実施の形態を示す説明図である。
【図５】その他の実施の形態を示す説明図である。
【図６】本考案の使用状態を示す説明図である。
【考案を実施するための形態】
【００１６】
以下に、図面を参照しつつ本考案の好ましい実施の形態を示す。
図１は、本考案に係る固定装置を示す正面図、図２はその斜視図である。図において、１は携帯電話、２は自在に変形可能なフレキシブルアーム、３はフレキシブルアーム２の一端に携帯電話１を装着する固定ホルダーである。
この固定ホルダー３は、図示のものでは、背板３ａと該背板３ａの下部に突設された携帯電話の載置台３ｂと背板３ａの両側に取り付けられた一対の携帯電話保持用の保持部材３ｃ，３ｃから構成されたものとなっているが、これに限定されるものではないことは勿論である。
【００１７】
前記フレキシブルアーム２は、例えば人体等に添わせて自在に変形させ、携帯電話が最適位置にくるように固定ホルダー３の位置を固定するものであり、長さが３０〜７０ｃｍ程度のものである。また、位置調整をより簡単に行えるように、所々にＬ字型の連結部材４、４を組み込んでおくこともできる。
【００１８】
図３に示されるように、フレキシブルアーム２は、先端側に球形のピン部５ａを有し、後端側に内周面が球形のソケット部５ｂを有するエレメント５を、隣接するエレメント５のピン部５ａとソケット部５ｂを摺動可能に嵌合し、これを繰り返して複数のエレメントを互いに摺動可能に連結した構造となっている。
このフレキシブルアーム２は、アーム全体がその形状を自在に変化させることが可能な構造であればよく、その他、所定巾の環状体を連結した構造のものや蛇腹式構造等の周知のフレキシブルアーム構造を利用できることは勿論である。
【００１９】
前記エレメント５は、ポリプロピレン樹脂や塩化ビニル樹脂、あるいはポリアセタール樹脂、ポリアミド樹脂、ポリカーボネート樹脂等のいわゆるエンジニアリングプラスチック等から形成されるものでのあり、いずれかの樹脂を射出成形して生産することができる。また、射出成形直後のエレメント５は、加熱されていて弾力性を有しているため、エレメント同士の嵌合を簡単に行うことができ、一方、冷却後においては弾力性がなくなり嵌合が外れるおそれがなくなるので、容易にフレキシブルアーム２を生産できる。
なお、図示のエレメント５は、ポリプロピレン樹脂製であるが、その他、ポリアセタール樹脂等の樹脂で成形することもでき、更には金属製であってもよい。
【００２０】
図４に示されるように、フレキシブルアーム２の他端側に、このフレキシブルアーム２を取付対象に着脱自在に取り付けるためのクリップ部材６が装着された構造とすることもできる。この場合には、フレキシブルアーム２を人体に添わせて自在に変形させたうえ、更にクリップ部材６を衣服等に挟んでより確実に固定することができる。また、前記クリップ部材６を天井やシートやヘッドレスト等に固定することもできる。
図５も、フレキシブルアーム２の他端側に、クリップ部材６が装着された構造を示しているが、図５のものでは、フレキシブルアーム２は所定巾の環状体を連結した周知のフレキシブルアーム構造となっている。
【００２１】
このように構成された固定装置は、図６に示すように、固定ホルダー３内に携帯電話をセットしたうえで、フレキシブルアーム２を人体の頸部等に添わせて変形させ携帯電話が丁度耳元にくるように固定すれば、ハンズフリーの状態で通話を可能にすることができる。また、フレキシブルアーム２は自在に変形できるため、どのような場所であっても変形させて携帯電話を最適位置にセットすることができる。また、従来の携帯電話の固定装置は、自転車の運転者だけを対象に考案されているが、本考案のものはオートバイや自転車の運転者あるいは両手が塞がっている歩行者でも利用できるものである。更には、フレキシブルアーム２をコンパクトにまとめられるので持ち運びも便利である。
【００２２】
以上のように、本考案は携帯電話を自動車の運転中においてもハンズフリーの状態で通話できるように簡単かつ任意の形でセットすることができ、また自転車だけでなく、オートバイや自転車の運転中、あるいは両手が塞がった状態の歩行者でもハンズフリーの状態で通話可能な状態とすることができ、更には装置が常に車内に装着されることがなく車内空間をスッキリさせることができる党の種々の効果を奏するものであり、極めて実用的価値の大きいものである。
【符号の説明】
【００２３】
１  携帯電話
２  フレキシブルアーム
３  固定ホルダー
３ａ  背板
３ｂ  載置台
３ｃ  保持部材
４  Ｌ字型の連結部材
５  エレメント
５ａ  ピン部
５ｂ  ソケット部
６  クリップ部材
【図１】
0003165506.tif 000003
【図２】
0003165506.tif 000004
【図３】
0003165506.tif 000005
【図４】
0003165506.tif 000006
【図５】
0003165506.tif 000007
【図６】
0003165506.tif 000008
【手続補正書】
【提出日】平成22年11月16日(2010.11.16)
【手続補正１】
【補正対象書類名】実用新案登録請求の範囲
【補正対象項目名】全文
【補正方法】変更
【補正の内容】
【実用新案登録請求の範囲】
【請求項１】
フレキシブルアームの一端に、携帯電話を装着する固定ホルダーを取り付けたことを特徴とする携帯電話の固定装置。
【請求項２】
フレキシブルアームの他端側に、このフレキシブルアームを取付対象に着脱自在に取り付けるためのクリップ部材が装着してある請求項１に記載の携帯電話の固定装置。
【請求項３】
フレキシブルアームは、先端側に球形のピン部を有し、後端側に内周面が球形のソケット部を有するエレメントを、隣接するエレメントのピン部とソケット部を摺動可能に嵌合し、これを繰り返して複数のエレメントを互いに摺動可能に連結したものである請求項１または２に記載の携帯電話の固定装置。
【請求項４】
エレメントは、ポリプロピレン樹脂、塩化ビニル樹脂、ポリアセタール樹脂、ポリアミド樹脂、ポリカーボネート樹脂のいずれかを射出成形したものである請求項３に記載の携帯電話の固定装置。
【手続補正２】
【補正対象書類名】明細書
【補正対象項目名】全文
【補正方法】変更
【補正の内容】
【考案の詳細な説明】
【技術分野】
【０００１】
本考案は、携帯電話を自動車や自転車等の運転中においてもハンズフリーの状態で通話できるように簡単かつ任意の形でセットすることができる携帯電話の固定装置に関するものである。
【背景技術】
【０００２】
従来から、自転車等の運転中において片手で携帯電話を持って通話し、ハンドルを片手で操作することは危険であるため、道路交通法によって禁じられている。従って、通話するには車を停止するか、停止できない場合は停止場所を見つけた後に電話する必要があり、面倒であった。
【０００３】
そこで、携帯電話をダッシュボード等にセットすることによりハンズフリーの状態で通話ができるようにした治具等も提案されているが、運転者の耳の位置と距離が離れるため音量が小さくなり、また雑音もあって聞き取りにくいものであった。
一方、最近では特許文献１や特許文献２に示されるように、携帯電話のハンズフリー装置の提案もされているが、携帯電話の固定具だけでなく、他にスピーカやマイク等の部品が必要であり、またそれら部品の取り付け作業も必要になるという問題があった。更に、ハンズフリー装置が常に装着されたままの状態となるため車内が雑然とするという問題もあった。
【０００４】
また、携帯電話の使用は自転車の運転中だけに限らず、オートバイや自転車の運転中、あるいは両手が塞がった状態の歩行者でも通話したい場合があるが、特許文献１や特許文献２のものはいずれも自動車専用であり、オートバイ等には適用することができないものであった。従って、如何なる状況にあっても容易にハンズフリーの状態で通話可能な状態にできる新たな携帯電話の固定装置の開発が要望されていた。
【先行技術文献】
【特許文献】
【０００５】
【特許文献１】特開平１０−３０８８１３号公報
【特許文献２】特開２００１−２６０７６２号公報
【考案の概要】
【考案が解決しようとする課題】
【０００６】
本考案は上記のような問題点を解決して、携帯電話を自動車の運転中においてもハンズフリーの状態で通話できるように簡単かつ任意の形でセットすることができ、また自転車だけでなく、オートバイや自転車の運転中、あるいは両手が塞がった状態の歩行者でもハンズフリーの状態で通話可能な状態とすることができ、更には装置が常に車内に装着されることがなく車内空間をスッキリさせることができる携帯電話の固定装置を提供することを目的として完成されたものである。
【課題を解決するための手段】
【０００７】
上記課題を解決するためになされた本考案の携帯電話の固定装置は、フレキシブルアームの一端に、携帯電話を装着する固定ホルダーを取り付けたことを特徴とするものである。
【０００８】
前記フレキシブルアームの他端側に、このフレキシブルアームを取付対象に着脱自在に取り付けるためのクリップ部材が装着してあるものが好ましく、これを請求項２に係る考案とする。
【０００９】
前記フレキシブルアームは、先端側に球形のピン部を有し、後端側に内周面が球形のソケット部を有するエレメントを、隣接するエレメントのピン部とソケット部を摺動可能に嵌合し、これを繰り返して複数のエレメントを互いに摺動可能に連結したものが好ましく、これを請求項３に係る考案とする。
【００１０】
また、前記エレメントは、ポリプロピレン樹脂、塩化ビニル樹脂、ポリアセタール樹脂、ポリアミド樹脂、ポリカーボネート樹脂のいずれかを射出成形したものが好ましく、これを請求項４に係る考案とする。
【考案の効果】
【００１１】
本考案では、フレキシブルアームの一端に、携帯電話を装着する固定ホルダーを取り付けたので、フレキシブルアームを人体に巻き付ける等することで簡単に携帯電話をセットして通話可能な状態とすることができる。
【００１２】
請求項２に係る考案では、フレキシブルアームの他端側に、このフレキシブルアームを取付対象に着脱自在に取り付けるためのクリップ部材が装着してあるものとすれば、クリップ部材の併用によってフレキシブルアームをより確実に固定でき、携帯電話の固定を更に確実なものとすることができる。
【００１３】
請求項３に係る考案では、フレキシブルアームは、先端側に球形のピン部を有し、後端側に内周面が球形のソケット部を有するエレメントを、隣接するエレメントのピン部とソケット部を摺動可能に嵌合し、これを繰り返して複数のエレメントを互いに摺動可能に連結したものとしたので、フレキシブルアームを人体に添わせるように自在に変形することができる。
【００１４】
請求項４に係る考案では、エレメントは、ポリプロピレン樹脂、塩化ビニル樹脂、ポリアセタール樹脂、ポリアミド樹脂、ポリカーボネート樹脂のいずれかを射出成形したものとしたので、フレキシブルアームを容易かつ安価に生産することができる。
【図面の簡単な説明】
【００１５】
【図１】本考案の実施の形態を示す正面図である。
【図２】本考案の実施の形態を示す斜視図である。
【図３】フレキシブルアームを示す要部の断面図である。
【図４】その他の実施の形態を示す説明図である。
【図５】その他の実施の形態を示す説明図である。
【図６】本考案の使用状態を示す説明図である。
【考案を実施するための形態】
【００１６】
以下に、図面を参照しつつ本考案の好ましい実施の形態を示す。
図１は、本考案に係る固定装置を示す正面図、図２はその斜視図である。図において、１は携帯電話、２は自在に変形可能なフレキシブルアーム、３はフレキシブルアーム２の一端に携帯電話１を装着する固定ホルダーである。
この固定ホルダー３は、図示のものでは、背板３ａと該背板３ａの下部に突設された携帯電話の載置台３ｂと背板３ａの両側に取り付けられた一対の携帯電話保持用の保持部材３ｃ，３ｃから構成されたものとなっているが、これに限定されるものではないことは勿論である。
【００１７】
前記フレキシブルアーム２は、自在に変形可能であるため、例えば人体等に添わせて自在に変形させ、携帯電話が最適位置にくるように固定ホルダー３の位置を固定することができる。また、前記フレキシブルアーム２の長さは３０〜７０ｃｍ程度のものである。また、位置調整をより簡単に行えるように、所々にＬ字型の連結部材４、４を組み込んでおくこともできる。
【００１８】
図３に示されるように、フレキシブルアーム２は、先端側に球形のピン部５ａを有し、後端側に内周面が球形のソケット部５ｂを有するエレメント５を、隣接するエレメント５のピン部５ａとソケット部５ｂを摺動可能に嵌合し、これを繰り返して複数のエレメントを互いに摺動可能に連結した構造となっている。
このフレキシブルアーム２は、アーム全体がその形状を自在に変化させることが可能な構造であればよく、その他、所定巾の環状体を連結した構造のものや蛇腹式構造等の周知のフレキシブルアーム構造を利用できることは勿論である。
【００１９】
前記エレメント５は、ポリプロピレン樹脂や塩化ビニル樹脂、あるいはポリアセタール樹脂、ポリアミド樹脂、ポリカーボネート樹脂等のいわゆるエンジニアリングプラスチック等から形成されるものでのあり、いずれかの樹脂を射出成形して生産することができる。また、射出成形直後のエレメント５は、加熱されていて弾力性を有しているため、エレメント同士の嵌合を簡単に行うことができ、一方、冷却後においては弾力性がなくなり嵌合が外れるおそれがなくなるので、容易にフレキシブルアーム２を生産できる。
なお、図示のエレメント５は、ポリプロピレン樹脂製であるが、その他、ポリアセタール樹脂等の樹脂で成形することもでき、更には金属製であってもよい。
【００２０】
図４に示されるように、フレキシブルアーム２の他端側に、このフレキシブルアーム２を取付対象に着脱自在に取り付けるためのクリップ部材６が装着された構造とすることもできる。この場合には、フレキシブルアーム２を人体に添わせて自在に変形させたうえ、更にクリップ部材６を衣服等に挟んでより確実に固定することができる。また、前記クリップ部材６を天井やシートやヘッドレスト等に固定することもできる。
図５も、フレキシブルアーム２の他端側に、クリップ部材６が装着された構造を示しているが、図５のものでは、フレキシブルアーム２は所定巾の環状体を連結した周知のフレキシブルアーム構造となっている。
【００２１】
このように構成された固定装置は、図６に示すように、固定ホルダー３内に携帯電話をセットしたうえで、フレキシブルアーム２を人体の頸部等に添わせて変形させ携帯電話が丁度耳元にくるように固定すれば、ハンズフリーの状態で通話を可能にすることができる。また、フレキシブルアーム２は自在に変形できるため、どのような場所であっても変形させて携帯電話を最適位置にセットすることができる。また、従来の携帯電話の固定装置は、自転車の運転者だけを対象に考案されているが、本考案のものはオートバイや自転車の運転者あるいは両手が塞がっている歩行者でも利用できるものである。更には、フレキシブルアーム２をコンパクトにまとめられるので持ち運びも便利である。
【００２２】
以上のように、本考案は携帯電話を自動車の運転中においてもハンズフリーの状態で通話できるように簡単かつ任意の形でセットすることができ、また自転車だけでなく、オートバイや自転車の運転中、あるいは両手が塞がった状態の歩行者でもハンズフリーの状態で通話可能な状態とすることができ、更には装置が常に車内に装着されることがなく車内空間をスッキリさせることができる党の種々の効果を奏するものであり、極めて実用的価値の大きいものである。
【符号の説明】
【００２３】
１  携帯電話
２  フレキシブルアーム
３  固定ホルダー
３ａ  背板
３ｂ  載置台
３ｃ  保持部材
４  Ｌ字型の連結部材
５  エレメント
５ａ  ピン部
５ｂ  ソケット部
６  クリップ部材